(57)【要約】【課題】  取り付けが比較的簡単であっても容易に抜け落ちないようになった、作業用足場の二本の支柱間に架設される一対のブレスに取り付ける手摺りおよび手摺りの取り付け方法を提供する。【解決手段】  二本の支柱間にＸ状にクロスして架設される一対のブレス２，２と、手摺り本体の両端側に第一の取り付け部４および第二の取り付け部５を備えた手摺り８とを有し、前記手摺り本体を前記第一の取り付け部と前記第二の取り付け部とを介して前記一対のブレス間に取り付けている作業用足場において、前記第一の取り付け部をフック部４ａと、前記フック部に連設されて前記手摺り本体の端部に固定した支持板４ｂと、前記フック部の多端に連設されて当該フック部の開口部と干渉する方向に伸びるストップ片４ｃとで構成し、前記第二の取り付け部を前記手摺り本体に結合されかつブレス把持部５ａと楔差し込み部にスライド自在に挿入した楔６とで構成した。【選択図】        図１
2005076391.tif 000002
【特許請求の範囲】
【請求項１】
二本の支柱間にＸ状にクロスして架設される一対のブレスと、手摺り本体の両端側に第一の取り付け部および第二の取り付け部を備えた手摺りとを有し、前記手摺り本体を前記第一の取り付け部と前記第二の取り付け部とを介して前記一対のブレス間に取り付けている作業用足場において、前記第一の取り付け部をフック部と、前記フック部に連設されて前記手摺り本体の端部に固定した支持板と、前記フック部の多端に連設されて当該フック部の開口部と干渉する方向に伸びるストップ片とで構成し、前記第二の取り付け部を前記手摺り本体に結合されかつブレス把持部と楔差し込み部にスライド自在に挿入した楔とで構成したことを特徴とする作業用足場。
【請求項２】
フック部がＵ字状に形成され、その基端が支持板に連設されるとともに多端に連設したストップ片が支持板方向に傾斜して延びて開口部の開口幅を規制している請求項１に記載の作業用足場。
【請求項３】
二本の支柱間にＸ状にクロスして架設される一対のブレスと、手摺り本体の両端側に取り付け部を備えた手摺りとを有し、前記手摺り本体が前記各取り付け部を介して前記一対のブレス間に取り付けられている作業用足場において、前記取り付け部を前記手摺り本体に旋回自在に結合されかつブレス把持部と楔差し込み部とを備えたガイドと、前記ガイドにピンを介して取り付けられながら前記楔差し込み部にスライド自在に挿入した楔とで構成したことを特徴とする作業用足場。
【請求項４】
前記ガイドが両側にそれぞれ湾状のブレス把持部とＵ字状の楔差し込み部とを備え、前記楔差し込み部はピンを介して旋回自在に手摺り本体の端部に結合され、さらに楔には軸方向に沿う長穴を形成し、この長穴内に前記ピンを挿入している請求項１,２又は３に記載の作業用足場。
【請求項５】
前記手摺り本体が一本のパイプまたはアウターパイプとこのアウターパイプ内に挿入したインナーパイプとからなる伸縮自在なパイプとで構成されている請求項１,２、３又は４に記載の作業用足場。
【請求項６】
二本の支柱間にＸ状にクロスして架設される一対のブレスに手摺りを取り付けた作業用足場の設置方法において、前記手摺り本体の両端側に形成した取り付け部のうち一方の取り付け部を前記ブレスから離した位置で、他方の取り付け部を前記ブレスに嵌め込んだ後に前記一方の取り付け部を前記ブレスに旋回して接近させて固定するようにした作業足場用の設置方法。
【発明の詳細な説明】
【技術分野】
【０００１】
本発明は、二本の支柱間に架設される一対のブレスに、手摺りを取り付けた作業用足場およびその設置方法に関する。
【背景技術】
【０００２】
従来、特許文献１に開示されているように、建築土木工事現場に架設される枠組足場等からなる作業用足場においては、足場板の長手方向両サイドに沿った支柱間に一対の棒材からなるＸ形の交差ブレスが架け渡されているため、この交差ブレスが安全柵となって、足場板を渡る作業者の安全を図ることができる。
【０００３】
しかし、図１１、図１２に示すように、このような交差ブレス４２は、その下方部が足場板との間で略三角形に開口された状態となっているため、作業者が足場板の上で中腰になって作業をするような場合、上記三角形の開口部から誤って墜落する危険性があった。このような危険を防止するために、交差ブレス４２の下部側三角形開口部を形成する棒材に手摺り４３を水平に架け渡すようにしている。
【０００４】
この種の手摺りとしては、断面略下向きＣ字状に形成された掛止部材本体４６の開口部４８には、交差ブレス４２に対する掛止部材４６の嵌め込みをガイドするテーパガイド部４４が設けられており、このテーパガイド部４４によって掛止部材４６の嵌め込み作業を容易にしている。
【０００５】
このように構成される交差ブレス４２用の手摺り４３は、作業用足場の支柱間に張架された交差ブレス４２に水平に架け渡されるわけであるが、この手摺り４３の架け渡し方法について以下に説明する。
【０００６】
この手摺り４３を交差ブレス４２に装着するにあたり、この手摺り４３を装着する作業者は、作業用足場の中に入って、手摺り４３を交差ブレス４２の内側に持ち来たし、棒状手摺り本体４３を手で掴んだ状態で一端側の掛止部材４６を、その開口部４８を下向きにして一方のブレス４２に対しその上方から押し付けるようにする。
【０００７】
この押し付け力に伴う掛止部材４６の弾性変形により開口部４８が開いて、この掛止部材４６が手摺り４３に嵌まり込み、嵌まり込んだ後は掛止部材４６の弾性復元力によって開口部４８が閉じ、従って掛止部材４６はブレス４２に嵌まり込んだ状態に掛止される。
【０００８】
掛止部材４６の開口部４８をブレス４２に押し付ける際に、その開口部４８に設けられたテーパガイド部４４の楔効果により開口部４８を容易に開かせることができ、ブレス４２への掛止部材４６の嵌め込みを容易にすることができる。
【０００９】
こうして棒状手摺り本体４３の一端側の掛止部材４６を一方のブレス４２に掛止させた後、棒状手摺り本体４３の他端側の掛止部材４６を、上記と同様にして他方のブレス４２に対して上方から押し付けるようにすると、掛止部材４６の開口部４８が弾性変形により開いて、この掛止部材４６は、ブレス４２に嵌まり込んだ状態に掛止される。これによって、掛止部材４６の両端が両ブレス４２,４２に掛止されることになる。
【特許文献１】特開２００３−２７７３９号公報（段落番号からまで、図４、図５）
【発明の開示】
【発明が解決しようとする課題】
【００１０】
このような従来の作業足場用の手摺りにおいては、掛止部材４６の開口部４８が弾性変形により開いて、この掛止部材４６がブレス４２に嵌まり込んだ状態に掛止される。これによって、掛止部材４６の両端の掛止部材４６，４６がブレス４２に掛止されるように構成されたものである。
【００１１】
しかし、このような従来の作業足場用の手摺りにおける掛止される構成および掛止方法では、掛止部材４６の開口部４８が弾性変形により開いてブレス４２に掛止される構成および方法であるから、手摺りにかかる衝撃力が大きいとき不用意に手摺りが抜け落ちてしまい、大きな事故につながる虞があり極めて危険であるという課題がある。
【００１２】
すなわち、掛止部材４６の開口部４８を弾性変形により開いて両ブレス４２、４２に掛止される構成であるから、作業足場が高所に設置される場合には作業者が自らの力で開口部４８を弾性変形させるか、ハンマーなどの工具を用いて開口部４８を弾性変形させて結合させることになる。
【００１３】
この程度の比較的弱い力で弾性変形させるものであるから、作業者が高所で資材を背負いながら手摺りを伝って歩行中、あるいは足を滑らせて転倒しそうになったときなど、手摺りには大きな衝撃力が作用することがある。このような場合に、手摺りにかかる衝撃力が大きいとき不用意に手摺りが抜け落ちてしまい、大きな事故につながる虞があり極めて危険である。
【００１４】
さらに、掛止部材４６の開口部４８を弾性変形により開いて両ブレス４２、４２に掛止される構成であるから、繰り返し使用していると開口部４８が弾性限界を超えて次第に永久変形し、遂にはブレス４２に掛止されなくなってしまう虞がある。
【００１５】
本発明は、このような課題に鑑みて創案されたものであって、二本の支柱間に架設される一対のブレスに取り付ける手摺りが、取り付けが比較的簡単であっても永久変形することなく、容易に抜け落ちないようになった作業用足場および作業用足場の設置方法を提供することを目的とする。
【課題を解決するための手段】
【００１６】
上記課題を解決するため、本発明の一つの手段は、二本の支柱間にＸ状にクロスして架設される一対のブレスと、手摺り本体の両側に第一の取り付け部および第二の取り付け部を備えた手摺りとを有し、前記手摺り本体を前記第一の取り付け部と前記第二の取り付け部とを介して前記一対のブレス間に取り付けている作業用足場において、前記第一の取り付け部をフック部と、前記フック部に連設されて前記手摺り本体の端部に固定した支持板と、前記フック部の多端に連設されて当該フック部の開口部と干渉する方向に伸びるストップ片とで構成し、前記第二の取り付け部を前記手摺り本体に結合されかつブレス把持部と楔差し込み部にスライド自在に挿入した楔とで構成される。
【００１７】
この場合、前記フック部がＵ字状に形成され、その基端が前記支持板に連設されるとともに多端に連設した前記ストップ片が前記支持板方向に傾斜して延びて開口部の開口幅を規制している。
【００１８】
同じく、本発明の他の手段は、二本の支柱間にＸ状にクロスして架設される一対のブレスと、手摺り本体の両側に取り付け部を備えた手摺りとを有し、前記手摺り本体が前記各取り付け部を介して前記一対のブレス間に取り付けられている作業用足場において、前記取り付け部を前記手摺り本体に旋回自在に結合されかつブレス把持部と楔差し込み部とを備えたガイドと、前記ガイドにピンを介して取り付けられながら前記楔差し込み部にスライド自在に挿入した楔とで構成している。
【００１９】
さらに、上記の各手段において、前記ガイドが両側にそれぞれ湾状のブレス把持部とＵ字状の楔差し込み部とを備え、前記楔差し込み部はピンを介して旋回自在に手摺り本体の端部に結合され、さらに楔に軸方向に沿う長穴を形成し、この長穴内に前記ピンを挿入しているのが好ましい。
【００２０】
さらに、前記手摺り本体が一本のパイプまたはアウターパイプとこのアウターパイプ内に挿入したインナーパイプとからなる伸縮自在なパイプとで構成されても良い。
【００２１】
さらに、本発明の方法は、二本の支柱間にＸ状にクロスして架設される一対のブレスに手摺りを取り付けた作業用足場の設置方法において、前記手摺り本体の両側に形成した取り付け部のうち一方の取り付け部を前記ブレスから離した位置で、他方の取り付け部を前記ブレスに嵌め込んだ後に前記一方の取り付け部を前記ブレスに接近させて固定するようにしている。
【発明の効果】
【００２２】
本発明にあっては、第一の取り付け部をフック部と、前記フック部に連設されて前記手摺り本体の端部に固定した支持板と、前記フック部の多端に連設されて当該フック部の開口部と干渉する方向に伸びるストップ片とで構成し、前記第二の取り付け部を前記手摺り本体に結合されかつブレス把持部と楔差し込み部にスライド自在に挿入した楔とで構成されるから、単純な形状でありながら取り付けが容易でかつ外れ難い作業用足場を構成することができる。
【００２３】
また、前記フック部がＵ字状に形成され、その基端が前記支持板に連設されるとともに多端に連設した前記ストップ片が前記支持板方向に傾斜して延びて開口部の開口幅を規制しているから、手摺りをブレスに固定するのが容易でありかつ外れ難くなった作業用足場を構成することができる。
【００２４】
さらに、前記取り付け部を前記手摺り本体に旋回自在に結合されかつブレス把持部と楔差し込み部とを備えたガイドと、前記ガイドにピンを介して取り付けられながら、前記楔差し込み部にスライド自在に挿入した楔とで構成しているから、特別な工具を用いることなく確実でかつ容易に、手摺りをブレスに取り付けることができるようになる。
【００２５】
さらに、前記ガイドが両側にそれぞれ湾状のブレス把持部とＵ字状の楔差し込み部とを備え、前記楔差し込み部はピンを介して旋回自在に手摺り本体の端部に結合され、さらに楔に軸方向に沿う長穴を形成し、この長穴内に前記ピンを挿入して作業用足場を構成しているから、簡単な構造でありながら取り付けが簡単かつ確実に行えるようにして固定したものであり、衝撃力が作用した程度では手摺りが抜け落ちるようなことはなく、作業の安全が図られるようになる。
【００２６】
さらに、前記手摺りが伸縮自在に構成されているから、作業用足場における支柱間隔がいろいろ変化しても、自在に対応できる作業足場用の手摺りを提供することができる。
【００２７】
さらに、本発明の方法によれば、手摺りの両端の取り付けが比較的簡単であっても容易に抜け落ちることがなく、かつ永久変形することもない安全な作業用足場およびその設置方法を提供することができる。
【発明を実施するための最良の形態】
【００２８】
以下、本発明の一実施の形態について、図面を参照して詳細に説明するが、本発明の建築、土木工事等に使用される作業用足場は、従来と同じく、二本の支柱１,１間にＸ状にクロスして架設される一対のブレス２，２と、手摺り本体の両端側に第一の取り付け部４および第二の取り付け部５を備えた手摺り８とを有し、前記手摺り本体を前記第一の取り付け部４と前記第二の取り付け部５とを介して前記一対のブレス２,２間に取り付けているものである。
【００２９】
そして、本発明では、前記第一の取り付け部４をフック部４aと、前記フック部４aに連設されて前記手摺り本体の端部に固定した支持板４ｂと、前記フック部４aの多端に連設されて当該フック部４aの開口部と干渉する方向に伸びるストップ片４ｃとで構成し、前記第二の取り付け部を前記手摺り本体に結合されかつブレス把持部５ａと楔差し込み部にスライド自在に挿入した楔６とで構成したことを特徴とする。
【００３０】
以下に更に詳しく説明すると、図１において、建築現場などに設置される作業用足場では、前後に一対をなす支柱１が多数建てられており、これらの支柱１の間に足場板７が架設され、さらに、支柱１を補強するとともに転倒を防止するために、左右の支柱１、１の相互間に傾斜したブレス２が架設されている。そして、一般的にこのブレス２は同一高さの位置で、二本のブレス２，２を交差させて設置されることが多い。
【００３１】
さらに、足場上を歩行する作業者が、このブレス２を手摺りとしても利用できるように設置されているが、交差した三角形の空間が広すぎるために、作業者が歩行中に滑ったり転倒したりしたときに、この隙間から地上に転落してしまう虞があるため、この部分の二本のブレス２、２相互間に手摺り３を設置している。
【００３２】
手摺り３は、図２に示すように、右端部には第一の取り付け部４が形成され、左端部には第二の取り付け部５が形成されている。また、第二の取り付け部５にはブレス２との結合のために楔６が使用される。手摺り３の全体形状は図２に示され、第一の取り付け部４の詳細形状は図３に、第二の取り付け部５の詳細形状は図４、図５、図６にそれぞれ示されている。
【００３３】
図３（Ａ）は、図１において第一の取り付け部４を上方から見たもので、図３（Ｂ）は、図３（Ａ）の矢印方向に見たもので、さらに図３（Ｃ）は、図３（Ｂ）の矢印方向に見たものである。
【００３４】
それぞれの図において、第一の取り付け部４は、ブレス２を挟持する間隔でアーチ状に形成したフック部４ａを形成され、その一端の支持板４ｂを前記手摺り３に固定されるとともに、他端のストップ片４ｃがフック部４ａの面から離れる方向であって、前記固定される支持板４ｂ側に接近するような方向に曲げて形成されている。
【００３５】
図４（Ａ）は、図１における第二の取り付け部５の詳細拡大形状を示し、図４（Ｂ）は、図４（Ａ）の矢印方向に見たものである。それぞれの図において、第二の取り付け部５は、前記ブレス２を挟持する把持部５ａと楔６を保持する楔差し込み部５ｂとを有し、結合ピン５ｃにより楔６の長穴６ａを移動自在に挟んで、手摺り３に取り付けられている。
【００３６】
図４（Ｂ）に示すように、第二の取り付け部５は前記ブレス２を、図示位置２から把持部５ａに挟持して固定する位置２Ｆに移動させ、その後楔６を差し込み図４（Ａ）の状態で、把持部５ａにより前記ブレス２を挟持して固定する。
【００３７】
図５は、楔６の詳細図で、図６（Ａ）は側面を示し図６（Ｂ）は図６（Ａ）の矢印方向から見た状態を示しており、楔６のテーパー面６ｂに沿って長穴６ａが形成されている。したがって、楔６が図４（Ａ）の状態で、第二の取り付け部５にブレス２を挟んで左方向に押し込まれると、第二の取り付け部５はブレス２に対して強固に固定されることになる。
【００３８】
図６は、第二の取り付け部５の把持部５ａを取り出して、部分的に拡大した詳細図である。
【００３９】
つぎに、手摺り３をブレス２に取り付ける方法について説明すると、図３（Ａ）において、第二の取り付け部５がブレス２から離れている状態を示す二点鎖線の位置で、第一の取り付け部４のストップ片４ｃがブレス２を回避し、フック部４ａがブレス２を挟持するような状態の位置に合わせて下に降ろして、ブレス２を第一の取り付け部４に挟持せしめる。
【００４０】
続いて、第二の取り付け部５をブレス２側に旋回させて接近させ、第二の取り付け部５をブレス２の図４（Ｂ）に示す位置２から、把持部５ａにブレス２を挟持して固定する位置２Ｆに移動させ、その後楔６を差し込み、図４（Ａ）の状態で把持部５ａにより前記ブレス２を挟持して固定するものである。
【００４１】
このように、第一の取り付け部４をブレス２に合わせて挟持せしめ、続いて第二の取り付け部５をブレス２側に旋回させながら接近させ、第二の取り付け部５をブレス２に対して把持部５ａにより前記ブレス２を挟持させた後、楔６をスライドさせて固定するものであるから、必要以上の力で強引に嵌め込む従来の方法とは違って、単純な嵌め合わせ操作によって結合することができる。
【００４２】
そして、図３（Ａ）から明らかなように、手摺り３がブレス２に取り付けられた後は、第一の取り付け部４の他端に形成したストップ片４ｃがブレス２の下側に潜り込んでいるから、手摺り３は第二の取り付け部５が旋回されて取り外されない限り、第一の取り付け部４がブレス２から抜け出すことはなく、確実に取り付けられている。
【００４３】
その上、繰り返し使用されることによって結合部分が永久変形して、不用意に外れてしまうようなことのない安全な手摺りを取り付けた作業用足場を提供できる。
【００４４】
したがって、手摺り３に衝撃力が加わったときにも、そのショックでフック部４ａや固定部分である第二の取り付け部５が簡単に外れるようなことがなく、安全で確実な手摺り３が得られ、さらに、このような方法で手摺り３を取り付けられるから、単純な作業で手摺り３を取り付ける方法を提供することができる。
【００４５】
特に、高所での作業には、特別に工具を用いることなく取り付け作業ができるので、作業性が向上する上に工具を振り回したり、不注意で工具を落下させて作業を中断したり、さらにはそのような危険性もなくなる。
【００４６】
図７は、支柱１の設置間隔が近づいた場合、あるいは遠のいた場合にも、僅かな変更で適用できるようにした手摺り３の取り付け状態を示している。手摺り３の中間部分を伸縮自在に構成し、右側の取り付け部５と左側の取り付け部５とを同じ構成にしたほかは図１の場合と同様である。図８にその全体形状を示し、図９に中間部分の拡大形状を示している。
【００４７】
図９に示すように、手摺り３は右側のパイプ３ａの中に左側のパイプ３ｂが挿入され、右側のパイプ３ａの先端部３ｃが細く形成され、左側のパイプ３ｂの先端部分３ｄが膨らみ、双方が抜けてしまわないように構成されている。このような構成であるから、支柱１の設置間隔が近づき、あるいは遠のいた場合にも、手摺りを自在に取り付けることが出来るようになる。
【００４８】
図１０は、第二の取り付け部５が両端に形成され、楔６を取り付ける結合ピン５ｃの周りに旋回自在に構成されていることから、ブレス２の傾斜が変更された場合にも十分に対応できることを示している。それとともに、図８に示す場合と同様に第二の取り付け部５が両端に形成されているから、取り扱いが単純で作業も簡単である。
【００４９】
また、上記いずれの実施形態においても、楔６はブレス２に添って上方から下方に向かって打ち込まれるから、自重や振動で楔が抜け落ちるようなことは生じない。念のために、不用意に楔６が抜け落ちないように、ロックピンを打ち込めるようにしたり、クリックを設けたり公知の技術を施すことが可能である。
【００５０】
なお、図８に示す形態で右側の取り付け部５を、図２に示すような第一の取り付け部４で構成することも可能であり、その作用効果は何ら変わるところがない。
【００５１】
また、図４（Ｂ）ではブレス２に対して第二の取り付け部５を左側から杷持部５ａの固定する位置２Ｆに移動させ、把持部５ａにより前記ブレス２を挟持して固定するようにしているが、把持部５ａおよび楔差し込み部５ｂを逆向きに形成して、反対の右側から把持部５ａの固定する位置２Ｆに移動させ、把持部５ａにより前記ブレス２を挟持して固定するように構成することもできる。
【００５２】
さらに、図３では第一の取り付け部４の他端に形成したストップ片４ｃが、Ｕ字状のフック部４ａの面から離れる方向であって前記固定される支持板４ｂ側に旋回矢印Ａの方向に接近するように、右側に曲げて形成されているが、逆に左側に曲げて図３（Ａ）、（Ｂ）において破線で示すように形成しても構成することができる。
【００５３】
さらに、二本のブレスが交差する位置であれば、どのような向き、位置であっても取り付けることができるものである。すなわち、上記図１、図７の何れの実施形態においても手摺り３がブレス２、２の下向きの三角形部分に取り付ける状態を示しているが、上向きの三角形部分に取り付けても同一の作用効果を生じることは明らかである。さらには、左右にある三角形部分に縦方向に取り付けることもでき、作業の安全および能率向上を図る上で有効である。
【００５４】
なお、本発明は、上記実施形態に限定されるものではなく、本発明の技術的思想の範囲内で、適宜変更して実施することができるものである。
【図面の簡単な説明】
【００５５】
【図１】本発明の第一の実施形態を示す側面図である。
【図２】本発明の第一の実施形態におけるブレスを単体で示す側面図である。
【図３】本発明の第一の実施形態における第一の取り付け部を示す部分拡大図である。
【図４】本発明の第一の実施形態における第二の取り付け部を示す部分拡大図である。
【図５】本発明の第一の実施形態における第二の取り付け部の楔を示す部分拡大図である。
【図６】本発明の第一の実施形態における第二の取り付け部を単体で示す部分拡大図である。
【図７】本発明の第二の実施形態を示す側面図である。
【図８】本発明の第二の実施形態における手摺りを単体で示す側面図である。
【図９】本発明の第二の実施形態における手摺りの中間部分の拡大形状を示す断面図である。
【図１０】本発明の第二の実施形態における可動部分の状態を示す側面図である。
【図１１】従来例の手摺り取り付け部の拡大図である。
【図１２】従来例の手摺り取り付け部の拡大断面図である。
【符号の説明】
【００５６】
１  支柱
２  ブレス
３  手摺り
４  第一の取り付け部
４ａ  フック部
４ｂ  支持板
４ｃ  ストップ片
５  第二の取り付け部（ガイド）
５ａ  把持部
５ｂ  楔差し込み部
５ｃ  ピン
６  楔
６ａ  長穴
７  足場板
【図１】
2005076391.tif 000003
【図２】
2005076391.tif 000004
【図３】
2005076391.tif 000005
【図４】
2005076391.tif 000006
【図５】
2005076391.tif 000007
【図６】
2005076391.tif 000008
【図７】
2005076391.tif 000009
【図８】
2005076391.tif 000010
【図９】
2005076391.tif 000011
【図１０】
2005076391.tif 000012
【図１１】
2005076391.tif 000013
【図１２】
2005076391.tif 000014